(57)【要約】【課題】画像を書込むために画像情報を含んで再生走査させる光線を、偏向手段の反射面に斜め方向から入射させる場合に、走査線に生じるボウを、適切で安価な手段により抑制できるようにした光走査装置を提供する。【解決手段】保持枠２１に保持させてミラーホルダー２０に収容させたシリンドリカルミラー１５を、その長手方向の両端部の一面側で支持突起２３により点支持させ、他面側で長手方向の中間部を臨んだ保持枠２１の部分に調整ネジ２５を螺合させ、調整ネジ２５とシリンドリカルミラー１５との間に力分散板２６を介在させる。この力分散板２６を介してシリンドリカルミラー１５の中間部を押動させると、シリンドリカルミラー１５が撓んで変形する。この撓みをボウの補正に利用し、ボウ形状を縮減させる。【選択図】        図１
2004301971.tif 000002
【特許請求の範囲】
【請求項１】
光源から発せられた光線を偏向手段に導き、該偏向手段で反射した反射光線を被走査体に入射して、該被走査体上に再生走査を行う光走査装置であって、前記偏向手段に対して、その反射面に斜め方向から光線を導く光走査装置において、
前記偏向手段で反射された光線を被走査体側へ反射するシリンドリカルミラーを備え、
前記シリンドリカルミラーの中間部を押圧して、該中間部をシリンドリカルミラーの幅方向に撓ませる押圧手段を設け、該押圧手段による押圧量でシリンドリカルミラーの中間部の撓み量を加減し、前記再生走査の走査軌跡の湾曲を補正するボウ調整手段を設けたことを特徴とする光走査装置。
【請求項２】
前記シリンドリカルミラーを保持枠に保持させ、前記押圧手段を該保持枠に螺合させた調整ネジとし、該調整ネジの先端部を、シリンドリカルミラーの側面に連繋させた受け板に当接させて、前記シリンドリカルミラーを保持枠と共にミラーホルダに収容させてあることを特徴とする請求項１に記載の光走査装置。
【発明の詳細な説明】
【０００１】
【発明の属する技術分野】
この発明は、画像情報を含む光線を、感光体ドラムに一定方向に移動させながら入射させて、該感光体ドラムに静電潜像を形成する再生走査を行い、この静電潜像に所定の処理を施してＰＰＣ用紙等に画像を再生する画像形成装置に具備された光走査装置に関し、特に、光線を移動させた軌跡である走査線が湾曲する現象、いわゆるボウを補正する光走査装置に関する。
【０００２】
【従来の技術】
複写機やプリンタ等の画像形成装置では、提供された画像データに基づいてＰＰＣ用紙等の転写媒体に画像を再生あるいは生成する。この画像生成のために、光走査装置が用いられているものがある。この光走査装置は、画像データに基づいた画像情報を含むレーザー光線がレーザー光源から発せられ、該レーザー光線に平行化や集光化等のビーム調整が施され、ポリゴンミラー等の偏向手段に入射され、その反射光線が被走査体である感光体ドラムに順次位置を変更しながら入射することにより再生走査され、該感光体ドラムに静電潜像を形成する。なお、感光体ドラムは、その回転によって入射光線と交差する方向に潜像の形成面が順次移動する。この静電潜像をトナーで現像してトナー像を形成し、このトナー像が転写媒体に転写されて前記画像データに基づいた画像が再生され生成される。
【０００３】
近年では、カラー複写機やカラープリンタが普及し、原画に忠実な再生画像を得ることができるようになってきている。これらカラープリンタ等に具備された光走査装置では、例えばイエロー、マゼンタ、シアン、ブラックの色情報ごとにそれぞれの画像情報を含むレーザー光線を、各別に発する４つのレーザー光源が備えられ、それぞれのレーザー光線が共通の偏向手段に入射され、その４本の反射光線を反射鏡等で各別の方向に分岐させて、並設された４つの感光体ドラムに各別に再生走査が行われ、色情報ごとに各別に静電潜像を成形される。これらの静電潜像がそれぞれトナー現像され、転写媒体をこれら感光体ドラムの並設方向に移動させながら、トナー像が順次転写されてカラー画像が生成される。
【０００４】
前記カラー画像の画像形成装置でも、小型化や高速化が要求されるようになり、レーザー光源から感光体ドラムに至る光路を形成する光学部品の配置スペースの小型化が要求されるようになってきている。このため、この種の画像形成装置の小型化を図るための光走査装置として、特許文献１には、図８に示すように、シャーシ５１の裏面にレーザー光源５２と、該レーザー光源５２のビーム調整するためのコリメータレンズ５３とシリンドリカルレンズ５４を配し、該レーザー光源５２から発せられたレーザー光線の方向を斜め上方に向け、前記シャーシ５１の表面に、回転軸を該シャーシ５１を直交方向で貫く方向としたポリゴンミラー５５とｆθレンズ５６等が配され、レーザー光源５２から斜め上方に発せられたレーザー光線を前記ポリゴンミラー５５の回転軸と直交する方向に反射させる折り返し反射鏡５７を備えた構造が開示されている。
【０００５】
【特許文献１】
特開２００１−１５４１３５
【０００６】
【発明が解決しようとする課題】
光走査装置の、より小型化を図るために、レーザー光源の配置場所が制限されることが生じ、そのため、レーザー光線を偏向手段に対して斜め方向から、すなわち回転軸と直交する方向から傾けて入射することが必要となってきた。また、図９に示すように、レーザー光線を斜め方向から入射させることにより偏向手段を薄型化できる。すなわち、カラー画像を生成する場合には４個のレーザー光源を具備させ、光路長を等しくするためこれらレーザー光源を鉛直方向に並設する。これら４本のレーザー光線Ｌを、レーザー光源を密着して並設させた場合に、等しい方向に照射する場合には、図９（ａ）に示すように４本のレーザー光線Ｌが平行となるから、偏向手段はこれらの光線が入射される厚さを必要とする。他方、図９（ｂ）に示すように、レーザー光線を斜め方向から偏向手段に入射させることが許容される場合には、レーザー光源を密着して並設した場合でも、上下に位置しているレーザー光源からは斜め方向に照射させられる。このため、偏向手段の厚さを、図９（ｂ）に示すように、図９（ａ）に示す構造のものよりも薄くすることができる。しかも、図８に示す構造において、レーザー光線を水平方向から傾けた斜め方向から偏向手段に入射できる構造とすれば、折り返し反射鏡５７の位置をポリゴンミラー５５よりも下方に位置させることができ、該ポリゴンミラー５５の薄型化と相俟って光走査装置をより薄型化することができる。
【０００７】
しかしながら、レーザー光線を偏向手段に斜め方向から入射させると、次のような問題が生じるおそれがある。
【０００８】
偏向手段で反射したレーザー光線はｆθレンズを透過させて、走査速度が一定となるように調整されているが、このｆθレンズにも斜め方向から入射することになる。このため、該ｆθレンズを透過して描かれる走査線が湾曲して、いわゆるボウと呼ばれる現象を生じるおそれがある。特に、カラープリンタのように、４本の走査線を転写媒体で合致させて画像を形成しなければならないものでは、ボウの存在によって走査線が合致せず、不鮮明な画像が生成されるおそれがある。従来では、このボウの発生に対しては、感光体ドラムにレーザー光線を導く反射鏡の精度を高くすることにより対処していた。ところが、レーザー光源から感光体ドラムに至る光路は、この光路を案内する光学部品をシャーシに組み込んだ状態で調整する必要がある。この調整を行うことによって、反射鏡の反射面の姿勢が当初の設計からずれてしまい、所望の補正を行えず、鮮明な画像を生成できなくなるおそれがある。特に、偏向手段に斜め方向から入射させる場合には、従来の光路構成ではボウが発生してしまうので、これを補正する簡易な手段が望まれている。
【０００９】
そこで、この発明は、ボウの調整を、反射鏡ユニットの部品の組立時及びシャーシに組み込んだ状態で行えるようにして、画像データにより忠実で鮮明な画像を生成できるようにした光走査装置を提供することを目的としている。
【００１０】
【課題を解決するための手段】
前記の目的を達成するための技術的手段として、この発明に係る光走査装置は、光源から発せられた光線を偏向手段に導き、該偏向手段で反射した反射光線を被走査体に入射して、該被走査体上に再生走査を行う光走査装置であって、前記偏向手段に対して、その反射面に斜め方向から光線を導く光走査装置において、前記偏向手段で反射された光線を被走査体側へ反射するシリンドリカルミラーを備え、前記シリンドリカルミラーの中間部を押圧して、該中間部をシリンドリカルミラーの幅方向に撓ませる押圧手段を設け、該押圧手段による押圧量でシリンドリカルミラーの中間部の撓み量を加減し、前記再生走査の走査軌跡の湾曲を補正するボウ調整手段を設けたことを特徴としている。
【００１１】
前記シリンドリカルミラーは反射面が凹状に形成され、前記偏向手段によって移動する光線が入射されて、その反射光は被走査体に集光され、鮮明な静電潜像を形成できる。偏向手段によるこの光線の移動方向を主走査方向とし、シリンドリカルミラーは主走査方向を長手方向とした長尺なものである。なお、前述したように、被走査体は入射光線と交差する方向に順次移動し、この移動方向を副走査方向とする。そして、前記主走査方向に関してボウが生じる。前述したように、ポリゴンミラーで反射したレーザー光線がＦθレンズに対して斜めに入射するため、ボウを持った走査線がシリンドリカルミラーに入射する。シリンドリカルミラーの位置に平面ミラーを置いた場合には、被走査体上にこの斜め入射によるボウがそのまま現れることになる。ミラーがシリンドリカルミラーであっても、その反射面の谷線がボウの形状に沿った形状であれば平面ミラーと同様にボウ形状が被走査体上に現れることになる。そこで、シリンドリカルミラーをその谷線がボウ形状からややずれた形状にすると、反射面が凹面であるため、谷線からのずれ量に応じてレーザー光線の反射点と反射面の角度が変化して、被走査体上のボウ形状を変化させることができる。本発明によれば、上記シリンドリカルミラーの長さ方向中間部を押圧する押圧量を調整可能としているので、これにより、谷線形状の撓み量を変化させて、被走査体上でのボウ形状を縮減させることができる。シリンドリカルミラーの谷線形状の撓み量の調整は、該シリンドリカルミラーや前記光源からこの反射鏡に至る光路の光学部品を組み込んだ状態で行うことができ、これら光学部品の製作誤差をも含めて、反射方向を確実に調整することができる。
【００１２】
また、請求項２の発明に係る光走査装置は、前記シリンドリカルミラーを保持枠に保持させ、前記押圧手段を該保持枠に螺合させた調整ネジとし、該調整ネジの先端部を、シリンドリカルミラーの側面に連繋させた受け板に当接させて、前記シリンドリカルミラーを保持枠と共にミラーホルダに収容させてあることを特徴としている。
【００１３】
前記調整ネジを保持枠に対して締め付けると、シリンドリカルミラーとの間に介在させた前記受け板を介して、シリンドリカルミラーをその幅方向に湾曲させることができ、このシリンドリカルミラーがボウを補正する形状に変形させられる。調整ネジを進退させることによるから、簡単な操作で調整を行える。また、受け板を介在させてあるから、シリンドリカルミラーを変形させる力が一点に集中することがなく、シリンドリカルミラーを不用意に破損させたり、疲労を緩和することができる。しかも、シリンドリカルミラーをミラーホルダに保持させてあるから、このミラーホルダにレジやスキュー、倍率の調整を行える機構を具備させることにより、これらレジ等の調整と併せてボウの補正を行うことができる。さらに、ミラーホルダに組み込む際に、シリンドリカルミラーのレジやスキューを設計値に基づいて調整すれば、シャーシに組み込んだ状態では微調整を行えばよい。
【００１４】
【発明の実施の形態】
以下、図示した好ましい実施形態に基づいて、この発明に係る光走査装置を具体的に説明する。
【００１５】
図５は、この発明に係る光走査装置１０の概略の光学配置を示す斜視図である。この光走査装置１０は、画像データに基づいた画像情報を含むレーザー光線Ｌを発生するレーザー光源１１と、コリメータレンズやシリンドリカルレンズ等からなり、レーザー光線Ｌの平行化や集光化等のビーム調整を行うビーム調整光学系１２、ビーム調整光学系１２を透過してビーム調整されたレーザー光線Ｌが入射される偏向手段としてのポリゴンミラー１３、該ポリゴンミラー１３で反射したレーザー光線Ｌが入射されるｆθレンズ１４、このｆθレンズ１４を透過したレーザー光線Ｌが入射し、所定の方向に反射させるシリンドリカルミラー１５、該シリンドリカルミラー１５で反射したレーザー光線Ｌが入射されて、表面に前記画像情報に基づく静電潜像が形成される被走査体である感光体ドラム１６とが備えられている。前記ポリゴンミラー１３は、図示のように正多角柱で形成され、その側面に反射面が設けられ、軸１３ａ  を中心として等速で回転している。前記レーザー光源１１から発せられビーム調整光学系１２でビーム調整されたレーザー光線Ｌはこのポリゴンミラー１３の側面に入射され、反射方向が順次偏向される。また、ポリゴンミラー１３に入射するレーザー光線Ｌは、該ポリゴンミラー１３の回転軸１３ａ  と直交する方向に対して傾いた方向から入射するようにしてある。これは、例えば光走査装置１０の小型化や高速化を図るためにレーザー光源１１の配置場所が制限される場合やポリゴンミラー１３の薄型化を図るために必要となる。なお、図示では、単一のレーザー光線Ｌについて示してあるが、カラープリンタ等の画像形成装置に組み込まれる光走査装置では、例えば４本のレーザー光線Ｌがポリゴンミラー１３の前記回転軸１３ａ  を含む平面内に並んで配されている。また、複数本のレーザー光線Ｌは格別の感光体ドラム１６に入射されるようにしてあり、そのため、並んで配列された４本のビームをそれぞれ所定の方向の分離させるための分離光学系（図示せず）が光路中に配されている。
【００１６】
ポリゴンミラー１３で反射して偏向されたレーザー光線Ｌは、前記ｆθレンズ１４を透過して、照射方向がほぼ一定の速度で移動するよう調整される。この移動軌跡が主走査方向の走査線となり、この走査線上を移動するレーザー光線Ｌが走査光線Ｌｓ  となる。ｆθレンズ１４を透過した走査光線Ｌｓ  は、前記シリンドリカルミラー１５に入射する。このシリンドリカルミラー１５は、入射した走査光線Ｌを感光体ドラム１６に向けて反射させる。なお、複数本のレーザー光線Ｌを有するカラー用の光走査装置では、前記シリンドリカルミラー１５の前にこれらレーザー光線Ｌをそれぞれの方向に反射させて分離させる分離反射鏡等からなる前記分離光学系が配されている。
【００１７】
前記レーザー光源１１から発せられたレーザー光線Ｌはポリゴンミラー１３に、その回転軸と直交する方向から傾いた状態で、すなわち斜方向で入射するから、その反射光も回転軸と直交する方向に対して斜めに反射する。このため、この反射光がｆθレンズ１４を透過した走査光線Ｌｓ  は、直線上の走査線とならず、このときの走査線ＳＬ  は、例えば図６上実線で示すように、想像線で示す理想の走査線Ｓ０  に対して弧を描いて湾曲した状態となってボウが生じる。ボウが生じた状態で前記シリンドリカルミラー１５に入射すると、走査線に沿って、走査光線Ｌｓ  の入射位置がシリンドリカルミラー１５の幅方向で異なると共に、シリンドリカルミラー１５の長手方向に沿って入射角度も異なることになる。このため、シリンドリカルミラー１５で反射して感光体ドラム１６へ入射する走査光線による主走査線も直線に沿わなくなる。
【００１８】
図１〜図４はこのボウにより感光体ドラム１６へ入射する走査光線の湾曲する状態を抑制するための構造を示すもので、前記シリンドリカルミラー１５の支持構造を示している。シリンドリカルミラー１５はミラーホルダ２０に収容され、このミラーホルダー２０の一面からシリンドリカルミラー１５の反射面を露呈させてある。シリンドリカルミラー１５は、断面ほぼコ字形の保持枠２１に保持されており、この保持枠２１ごとミラーホルダ２０に収容されている。また、シリンドリカルミラー１５の両端部に臨む位置には、ミラーホルダ２０の前方から該ミラーホルダ２０を抱持する状態に押さえ部材２２が設けられて、シリンドリカルミラー１５をミラーホルダ２０から脱落しないように保持させてある。また、ミラーホルダ２０の両端面からは支持ロッド部２０ａ  が突出して設けられており、この支持ロッド部２０ａ  を図示しないシャーシに取り付ければ、シリンドリカルミラー１５が所定の位置に組み込まれる。
【００１９】
なお、前記ミラーホルダ２０は、特開２００１−３５６２５９号公報等で公知の調整機構を備えている。すなわち、シリンドリカルミラー１５の凹面の法線方向の位置を変更して倍率の調整を行い、前記支持ロッド部２０ａ  を軸としてミラーホルダ２０を回動させることにより入射位置を変更してレジの調整を行い、ミラーホルダ２０の両端部の相対位置を変更してスキューの調整を行うことができるものとしてある。これら倍率とレジ、スキューの調整を行うことにより、感光体ドラム１６の表面に確実に結像させることができる。
【００２０】
前記保持枠２１の内壁面の一部であって、シリンドリカルミラー１５の両端部に臨んだ位置にはシリンドリカルミラー１５を支持する支持突起２３が突設されている。また、保持枠２１の一部であって、シリンドリカルミラー１５の裏面側の両端部に臨んだ位置には、シリンドリカルミラー１５の背面を支持する支持突起２４が突設されている。すなわち、シリンドリカルミラー１５は前記支持突起２３、２４のそれぞれに点接触によって支持された状態となっている。
【００２１】
前記支持突起２３で支持された側と反対側であって、シリンドリカルミラー１５の中央部を臨んだ保持枠２１の部分には雌ネジ部２１ａ  が形成され、この雌ネジ部２１ａ  にボウ調整手段である押圧手段として調整ネジ２５が螺合されて配されている。この調整ネジ２５はミラーホルダ２０の上面に形成された透孔２０ｂ  を貫通させて、頭部を外側に露呈させてある。また、調整ネジ２５の先端とシリンドリカルミラー１５との間には受け板としての力分散板２６を介在させてある。この力分散板２６は前記調整ネジ２５の先端を中心としてシリンドリカルミラー１５の長手方向を長手方向とした矩形に形成されており、調整ネジ２５を締め付けることによってシリンドリカルミラー１５の中央部をこの力分散板２６の全域で押動するようにしてある。また、この力分散板２６は、図１に示すように、断面ほぼＬ字形に形成され、該Ｌ字形の一方の脚部が調整ネジ２５とシリンドリカルミラー１５との間に介在させてあり、他方の脚部はミラーホルダ２０に形成された保持孔２０ｃ  に挿入されている。このため、この力分散板２６がミラーホルダ２０から不用意に脱落することが防止されている。
【００２２】
以上により構成されたこの発明に係る光走査装置の作用を、図７を参照して説明する。
【００２３】
図６に示すようにシリンドリカルミラー１５に入射した走査線ＳＬ  が同図上実線で示すように下に凸となった状態のボウが発生しているとする。またこの場合に、シリンドリカルミラー１５の両端部に入射する走査光線Ｌｓ  はシリンドリカルミラー１５の谷線上に入射しており、中央部では谷線から外れて下側に入射するものとする。この状態では、図７（ａ）に示すように、シリンドリカルミラー１５での反射光は、感光体ドラム１６の表面で円周方向の異なる位置に入射してしまうことになる。すなわち、ボウが残存して感光体ドラム１６に入射することになる。
【００２４】
前記調整ネジ２５を締め付けて、前記保持枠２１に対して、図１の状態から下方に前進させると、シリンドリカルミラー１５の中央部が押動されて該中央部が下側に撓んで、図７（ａ）に示す位置１５０  から同図（ｂ）に示す位置１５１  まで移動することになる。このため、シリンドリカルミラー１５は、押圧されていない原形状から変形して、走査光線Ｌｓ  のシリンドリカルミラー１５に対する入射位置や反射面に対する入射角度が変更されることになる。
【００２５】
ところで、ボウは図６に示すようにほぼ弓形に湾曲して現れ、これに対してシリンドリカルミラー１５の中央部を押動して移動させると、該シリンドリカルミラー１５が中央部を軸としてほぼ対称に撓む。このため、ほぼ対称に現れるボウに対して、シリンドリカルミラー１５の反射面の凹面形状が中央部を軸としてほぼ対称に変化し、ボウの形状に沿って入射位置と入射角とを変更することができる。そして、シリンドリカルミラー１５の移動量を調整して、中間部における走査光線Ｌｓ  の反射方向を、図７（ｂ）に示すように、感光体ドラム１６の円周方向でほぼ等しい位置に入射する方向に調整する。
【００２６】
以上に説明した実施形態では、調整ネジ２５をシリンドリカルミラー１５の中央部にのみ配設した構造について説明したが、必要に応じてその配設位置を異なる位置としたり、配設個数を増加させることもできる。また、シリンドリカルミラー１５がシリンドリカルミラーからなるものとして説明したが、主走査線を案内するための反射鏡であれば、シリンドリカルなものに限らず、確実で鮮明な主走査線を形成するための形状を備えた反射鏡であっても構わない。
【００２７】
【発明の効果】
以上説明したように、この発明に係る光走査装置によれば、偏向手段にその反射面に対して斜め方向から光線を入射した場合に生じるボウを抑制することができるから、画像情報が含まれた光線を偏向手段の反射面に対して斜め方向から入射させることができる。このため、偏向手段の薄型化を図ることができると共に、この光線を発する光源の配設位置の自由度が大きくなり、より設計の自由度が増加して、小型化させた光走査装置を設計することができる。しかも、シリンドリカルミラーへの入射位置を変更させるボウ調整手段を備えさせる構造であるから、光走査装置の各部品の組立後に光路を調整することができ、確実にボウを抑制した調整を行うことができる。さらに、シリンドリカルミラー等の部品の精度を高くすることなく調整できるから、光走査装置のコストをほとんど上昇させることがない。
【００２８】
また、シリンドリカルミラーは反射面が凹状に形成されて、曲げに対して適宜な剛性を備えると共に、肉厚を確保することができるから、押圧手段で移動させた状態でボウの形状に近似させて湾曲させることが容易である。このため、適宜に湾曲させることにより、該反射鏡に入射するボウが生じている光線の反射方向を反射鏡の長手方向に渡って異ならせることができる。すなわち、ボウが生じている光線を補正して直線状の走査線を描かせることができる。しかも、中間部を押動させる押圧手段を設けた構造であるから、簡単な構造で、光学部品をシャーシに組み込んだ状態で容易に調整することができる。
【００２９】
また、請求項２の発明に係る光走査装置によれば、調整ネジを締め付けたり、緩めたりして進退させることによりシリンドリカルミラーを湾曲させられるから、簡単な操作でシリンドリカルミラーの幅方向における入射位置を変更することができ、ボウを補正するための調整作業を簡便に行うことができる。また、受け板を介在させてあるから、反射鏡を湾曲させるための力が一点に集中せず、反射鏡を不用意に破損させたり、疲労を緩和することができる。しかも、シリンドリカルミラーを保持枠に保持させたから、保持枠に組み込む作業時に、設計値に基づいて予めレジやスキュー、ボウを調整し、シャーシに組み込んだ状態で微調整を行うことができるから、調整作業を簡便に行うことができる。
【図面の簡単な説明】
【図１】この発明に係る光走査装置に用いられる反射鏡の取付状態を示す断面図で、図２におけるＡ−Ａ線で切断して示している。
【図２】図１に示す取付構造により取り付けられた状態の反射鏡の正面図である。
【図３】図１に示す取付構造により取り付けられた状態の反射鏡の平面図である。
【図４】図１に示す反射鏡の平面図であって、該反射鏡を取り付けたミラーホルダを切断して示している。
【図５】光走査装置の概略の光学配置を説明するための斜視図である。
【図６】ボウの状態の一例を示す正面図である。
【図７】シリンドリカルミラーに入反射する光線を説明する側面図で、（ａ）はボウが補正されていない状態を、（ｂ）はボウが調整された状態を示している。
【図８】従来の光走査装置の光路を説明する、該光走査装置の概略側面図である。
【図９】光走査装置の偏向手段に入射する４本の光線の状態を示す図で、（ａ）は光線が平行に入射する場合を、（ｂ）は一部の光線が斜め方向から入射する場合を示している。
【符号の説明】
１０  光走査装置
１１  レーザー光源
１２  ビーム調整光学系
１３  ポリゴンミラー（偏向手段）
１４  ｆθレンズ
１５  シリンドリカルミラー
１６  感光体ドラム（被走査体）
２０  ミラーホルダ
２０ａ  支持ロッド部
２０ｂ  透孔
２１  保持枠
２１ａ  雌ネジ部
２２  押さえ部材
２３  支持突起
２４  支持突起
２５  調整ネジ（ボウ調整手段）
２６  力分散板（受け板）
【図１】
2004301971.tif 000003
【図２】
2004301971.tif 000004
【図３】
2004301971.tif 000005
【図４】
2004301971.tif 000006
【図５】
2004301971.tif 000007
【図６】
2004301971.tif 000008
【図７】
2004301971.tif 000009
【図８】
2004301971.tif 000010
【図９】
2004301971.tif 000011